(57)【要約】【課題】  グループのメンバーの意向を反映したグループ通信サービスの運営が可能なグループリスト管理装置及びグループリスト管理方法、並びに通信端末装置を提供すること。【解決手段】  グループリスト管理装置４０は、登録されているメンバー間で通信を行うことが可能なグループ通信システムのグループリスト５２を管理する。グループリスト管理装置４０は、所定のグループＧ１のグループリストへの新規登録要求を受けると、グループＧ１のグループリスト５２に既に登録されている既登録メンバーＰ２，Ｐ３に、新規登録要求を許可するか否かを投票する投票セッションの開催を通知する。そして、投票セッションにおける既登録メンバーＰ２，Ｐ３による投票結果に応じて、新規登録要求に対してグループＧ１への登録の可否を判定する。【選択図】  図１
2007019818.tif 000002
【特許請求の範囲】
【請求項１】
グループリストに登録されているメンバー間で通信を行うことが可能なグループ通信システムに利用され、前記グループリストを管理するグループリスト管理装置であって、
所定のグループのグループリストへの新規登録要求を受けると、当該グループのグループリストに既に登録されている既登録メンバーに、前記新規登録要求を許可するか否かを投票する投票セッションの開催を通知する投票セッション開催通知部と、
前記投票セッションにおける前記既登録メンバーによる投票結果に応じて、前記新規登録要求に対して前記グループへの登録の可否を判定する登録可否判定部と
を備えるグループリスト管理装置。
【請求項２】
請求項１に記載のグループリスト管理装置であって、
前記登録可否判定部は、前記既登録メンバーからの登録を許可する得票率又は得票数と所定の基準値とを比較して登録の可否を判定するグループリスト管理装置。
【請求項３】
請求項１又は２に記載のグループリスト管理装置であって、
前記既登録メンバーからの、前記投票セッションの開催通知に対する返信に応じて、前記投票セッションの有効性を判定する有効性判定部を更に備えるグループリスト管理装置。
【請求項４】
請求項３に記載のグループリスト管理装置であって、
前記有効性判定部は、既登録メンバーからの返信の返信率又は返信数と所定の基準値とを比較して有効性の判定するグループリスト管理装置。
【請求項５】
請求項３又は４に記載のグループリスト管理装置であって、
前記有効性判定部は、前記投票セッションを有効と判定した場合のみ、前記既登録メンバーに対する投票を受け付けるグループリスト管理装置。
【請求項６】
請求項１ないし５のいずれか一項に記載のグループリスト管理装置と通信網を介して通信可能な通信端末装置であって、
前記通信網を介して前記グループリスト管理装置との通信を行い、投票セッションの処理を行う投票セッション処理部と、
前記投票セッション処理部からの前記グループリスト管理装置からの問い合わせを報知する報知部と、
前記投票セッションにおいて前記グループリスト管理装置に対する回答が入力され、前記投票セッション処理部に出力する入力部と
を備える通信端末装置。
【請求項７】
グループリストに登録されているメンバー間で通信を行うことが可能なグループ通信システムにおける前記グループリストを管理するグループリスト管理方法であって、
所定のグループのグループリストへの新規登録要求を受けると、当該グループのグループリストに既に登録されている既登録メンバーに、前記新規登録要求を許可するか否かを投票する投票セッションの開催を通知するステップと、
前記投票セッションにおける前記既登録メンバーによる投票結果に応じて、前記新規登録要求に対して前記グループへの登録の可否を判定するステップと
を有するグループリスト管理方法。
【発明の詳細な説明】
【技術分野】
【０００１】
本発明は、グループリストに登録されているメンバー間で通信を行うことが可能なグループ通信システムに利用される、グループリスト管理装置及びグループリスト管理方法、並びに通信端末装置に関する。
【背景技術】
【０００２】
グループ通信は、一つのグループに属するメンバー間で１対１の通信（ユニキャスト通信）、あるいは、１対多の通信（マルチキャスト通信）を行う通信方式である。グループ通信システムにおけるグループと各グループのメンバーは、グループリスト管理サーバが保持するグループリストによって管理される。
【０００３】
グループ通信システムへの参加を希望する者は、グループリスト管理サーバにアクセスして所定の手続きを行うことにより、グループリストに登録される。
【０００４】
従来のグループ通信システムでは、グループリストへの登録を希望する者は、特段の制限無く登録可能であるか、または、そのグループの管理者による許諾が得られた場合にのみ登録が許可される（例えば、特許文献１参照）。
【特許文献１】特表２００３−５２６２７５号公報
【発明の開示】
【発明が解決しようとする課題】
【０００５】
グループ通信の用途は多様であるが、グループ内における議論の内容によっては、秘匿性が必要となる場合がある。この場合には、新規メンバーのグループリストへの登録を無制限に認めるべきではなく、何らかの制限を設ける必要がある。
【０００６】
しかしながら、上記のグループ通信システムにあっては、登録の制限をグループの管理者の判断に委ねられるものであるため、管理者の意向のみが反映されたグループとなってしまう可能性があるといった事情があった。
【０００７】
本発明は、上記の事情に鑑みてなされたものであって、グループのメンバーの意向を反映したグループ通信サービスの運営が可能なグループリスト管理装置及びグループリスト管理方法、並びに通信端末装置を提供することを目的とする。
【課題を解決するための手段】
【０００８】
本発明は、第１に、グループリストに登録されているメンバー間で通信を行うことが可能なグループ通信システムに利用され、前記グループリストを管理するグループリスト管理装置であって、所定のグループのグループリストへの新規登録要求を受けると、当該グループのグループリストに既に登録されている既登録メンバーに、前記新規登録要求を許可するか否かを投票する投票セッションの開催を通知する投票セッション開催通知部と、前記投票セッションにおける前記既登録メンバーによる投票結果に応じて、前記新規登録要求に対して前記グループへの登録の可否を判定する登録可否判定部とを備えるグループリスト管理装置が提供されるものである。
【０００９】
この構成により、グループに対する新規登録要求に対して、既登録メンバーによる投票が行われ、その結果に応じて新規登録要求の登録可否が決定されるので、グループのメンバーの意向を反映したグループ通信サービスの運営が可能となる。
【００１０】
本発明は、第２に、上記第１に記載のグループリスト管理装置であって、前記登録可否判定部は、前記既登録メンバーからの登録を許可する得票率又は得票数と所定の基準値とを比較して登録の可否を判定する。
【００１１】
この構成により、得票率又は得票数に応じて登録の可否を判定することができる。
【００１２】
本発明は、第３に、上記第１又は第２に記載のグループリスト管理装置であって、前記既登録メンバーからの、前記投票セッションの開催通知に対する返信に応じて、前記投票セッションの有効性を判定する有効性判定部を更に備える。
【００１３】
この構成により、投票セッションの有効性を判定するので、グループのメンバーの意向を適切に反映したグループ通信サービスの運営が可能となる。
【００１４】
本発明は、第４に、上記第３に記載のグループリスト管理装置であって、前記有効性判定部は、既登録メンバーからの返信の返信率又は返信数と所定の基準値とを比較して有効性の判定する。
【００１５】
この構成により、投票セッションに参加可能なメンバー数に応じて有効性を判定することができる。
【００１６】
本発明は、第５に、上記第３又は第４に記載のグループリスト管理装置であって、前記有効性判定部は、前記投票セッションを有効と判定した場合のみ、前記既登録メンバーに対する投票を受け付ける。
【００１７】
この構成により、実際の投票を有効性が確認されたときのみに実施することができる。
【００１８】
本発明は、第６に、上記第１ないし第５のいずれかに記載のグループリスト管理装置と通信網を介して通信可能な通信端末装置であって、前記通信網を介して前記グループリスト管理装置との通信を行い、投票セッションの処理を行う投票セッション処理部と、前記投票セッション処理部からの前記グループリスト管理装置からの問い合わせを報知する報知部と、前記投票セッションにおいて前記グループリスト管理装置に対する回答が入力され、前記投票セッション処理部に出力する入力部とを備える通信端末装置が提供されるものである。
【００１９】
この構成により、グループに対する新規登録要求に対して登録可否の投票を行うことができるので、グループのメンバーの意向を反映したグループ通信サービスを受けることができる。
【００２０】
本発明は、第７に、グループリストに登録されているメンバー間で通信を行うことが可能なグループ通信システムにおける前記グループリストを管理するグループリスト管理方法であって、所定のグループのグループリストへの新規登録要求を受けると、当該グループのグループリストに既に登録されている既登録メンバーに、前記新規登録要求を許可するか否かを投票する投票セッションの開催を通知するステップと、前記投票セッションにおける前記既登録メンバーによる投票結果に応じて、前記新規登録要求に対して前記グループへの登録の可否を判定するステップとを有するグループリスト管理方法が提供されるものである。
【００２１】
この方法により、グループに対する新規登録要求に対して、既登録メンバーによる投票が行われ、その結果に応じて新規登録要求の登録可否が決定されるので、グループのメンバーの意向を反映したグループ通信サービスの運営が可能となる。
【発明の効果】
【００２２】
本発明によれば、グループのメンバーの意向を反映したグループ通信サービスの運営が可能なグループリスト管理装置及びグループリスト管理方法、並びに通信端末装置を提供することができる。
【発明を実施するための最良の形態】
【００２３】
図１は、本発明の実施形態に係るグループ通信システムを説明する概念図である。図１は、グループ通信システムの一例として、携帯電話端末を利用したプッシュトゥトーク・ボイスオーバーアイピー通信システム（ＰＴＴ・ＶｏＩＰ通信システム）を利用したグループ通信の例を示すブロック図である。
【００２４】
プッシュトゥトーク通信サービスは、通信機のプッシュボタンを押下したメンバーが話者権をもち、その話者権をもつ者が他の多数のメンバーに対して同時に発話し、発話が終わると話者権を切り替え、これによって別のメンバーが発話可能になる、トランシーバ型の通信サービスである。
【００２５】
ＰＴＴ・ＶｏＩＰシステムでは、例えば、ボイスオーバーＩＰ（音声データをパケット化して通信する方式）を用いて、ＩＰ（インターネットプロトコル）ネットワークを経由したプッシュトゥトークシステム（すなわち、ＰＴＴ・ＶｏＩＰ通信システム）が構築される。
【００２６】
図１に示すように、本実施形態のグループ通信システムは、グループ通信を行うためのグループ毎にメンバーを管理するグループリスト管理サーバ４０が、無線ネットワークやＩＰネットワーク等の通信網であるネットワーク３０に接続されている。そして、基地局装置（ＢＳ）２０ａ〜２０ｃを介して、ＰＴＴ・ＶｏＩＰ方式に対応した携帯電話端末１０ａ〜１０ｃは互いに無線通信が可能であると共に、グループリスト管理サーバ４０と通信が可能となっている。
【００２７】
そして、本実施形態では、携帯電話端末１０ｂ、１０ｃの利用者Ｐ２，Ｐ３が、グループＧ１にメンバー登録されているものとする。これにより、利用者Ｐ２，Ｐ３はグループＧ１に登録されているメンバー間で、ＰＰＴ・ＶＯＩＰシステムを用いたグループ通信を行うことができる。
【００２８】
そして、本実施形態のグループ通信システムでは、携帯電話１０ａの利用者Ｐ１が、所定のグループ（この例ではグループＧ１とする）に新規登録を希望し、新規登録要求をグループリスト管理サーバ４０に向けて送信すると、グループリスト管理サーバ４０は、新規登録要求に指定されたグループＧ１のメンバー（利用者Ｐ２，Ｐ３等）にＰ１の新規登録の可否を問い合わせる投票セッションを開催する。そして、グループリスト管理サーバ４０は、グループＧ１のメンバーからの投票結果に応じて、利用者Ｐ１のグループＧ１への登録の可否を決定する。このようにして、本実施形態のグループ通信システムは、グループのメンバーの意向を反映したグループ通信サービスの運営を可能とするものである。
【００２９】
なお、利用者Ｐ１が既登録者の一人であり、この既登録者Ｐ１が、新規登録希望者（不図示）に代わって、新規登録要求を発出する場合（すなわち、代理要求の場合）も想定され得る。
【００３０】
図２は、本発明の実施形態に係るグループリスト管理サーバの概略構成を示すブロック図である。図２に示すように、グループリスト管理サーバ４０は、ネットワーク３０に接続し、基地局を介して携帯電話端末１０ａ〜１０ｃと通信可能な通信部４２と、グループ管理部４４と、グループリスト５２を記憶する記憶部５０とを備える。グループ管理部４４は、投票セッション開催通知部、登録可否判定部及び有効性判定部の一例として動作するものであり、その詳細な動作は、図５を用いて後述する。なお、記憶部５０は、グループリスト管理サーバ４０の外部に設けられていてもよい。
【００３１】
図３は、本発明の実施形態に係る携帯電話端末の概略構成を示すブロック図である。図３に示すように、携帯電話端末１０は、基地局装置２０と無線通信を行う無線通信部１１と、携帯電話端末１０の動作の制御を行う制御部１２と、使用者からの操作入力を受け付ける操作部１５と、表示部１６とを備える。また、制御部１２は、グループ通信を行うためのグループ通信処理部１３と、ＰＰＴシステムで通信を行うときの処理を行うＰＰＴ処理部１４とを有している。
【００３２】
なお、グループ通信処理部１３は、グループリスト管理サーバ４０への新規登録要求の通知や、投票セッションの処理を行う投票セッション処理部の一例として動作する。また、操作部１５は、新規登録要求や、投票セッションにおいてグループリスト管理サーバ４０に対する回答を受け付ける入力部の一例として動作する。入力部は、操作部１５の他、音声により入力する音声入力装置等を用いてもよい。表示部１６は、グループリスト管理装置４０からの問い合わせを報知する報知部の一例として動作する。なお、報知部は、表示部１６の他、音声により報知する音声出力装置等を用いてもよい。
【００３３】
図４は、本発明の実施形態に係るグループリストの一例を示す説明図である。図４の左側に示されるように、複数のグループが存在する場合には、グループリスト５２は、それらのグループ毎に設けられる。図４の右側に示されるように、一つのグループリスト５２は、メンバーＩＤや登録日時等の情報２００が記録されている。なお、メンバーＩＤは、利用者を示す識別情報のほか、携帯電話端末を示す識別情報でもよい。本実施形態では、利用者をメンバーとして登録する場合について説明するが、グループ通信に使用する通信端末装置をメンバーとして登録してもよい。
【００３４】
また、グループリスト５２には、新規メンバーの登録時に使用される各種のパラメータ２０１〜２０３を設定することができる。このパラメータは、例えば、システムの管理者により、管理者権限の下で設定される。
【００３５】
ここで、パラメータ２０１は、「新規メンバー登録時制限種別」を規定するパラメータであり、パラメータ２０２，２０３は、新規メンバー登録時の具体的な制限基準（制限基準１，制限基準２）を規定するためのパラメータである。
【００３６】
パラメータ「新規メンバー登録時制限種別」２０１が「制限なし」以外の設定である場合、パラメータ「制限基準１」２０２および「制限基準２」２０３が有効となる。
【００３７】
そして、パラメータ「新規メンバー登録時制限種別」２０１を「投票形式」に設定することにより、パラメータ「制限基準１」２０２は「投票セッションの有効性判断基準」となり、「制限基準２」２０３は「登録可否判断基準」となる。
【００３８】
パラメータ「新規メンバー登録時制限種別」２０１は、「投票形式」の他に「制限なし」「管理者一任形式」などの登録方法が設定可能であることはいうまでもない。
【００３９】
「投票セッションの有効性判断基準」となったパラメータ「制限基準１」２０２は、無制限、過半数、２／３以上、全会一致など０〜１００％の範囲で設定でき、投票セッションにおける投票参加メンバー数（セッション開催通知に応答してアクティブ返信を行ったメンバーの数）÷既登録メンバー数より導くことができる投票率が、「制限基準１」２０２の設定値以上の場合に投票セッションが有効となる。
【００４０】
また、「投票セッションの有効性判断基準」であるパラメータ「制限基準１」２０２として、投票率ではなく、投票参加メンバー数より導くことができる投票数（セッション開催通知に応答してアクティブ返信を行ったメンバーの数）を採用することもできる。この場合、実際にアクティブ返信を行ったメンバーの数が、パラメータ「制限基準１」２０２で規定される基準値以上の場合（あるいは基準値より大きい場合）に、投票セッションが有効とされる。
【００４１】
同様に、「登録可否判断基準」となったパラメータ「制限基準２」２０３は、無制限、過半数、２／３以上、全会一致など０〜１００％の範囲で設定でき、投票セッションにおける登録許可票数÷投票総数より導くことができる得票率が「制限基準２」２０３の設定値以上（あるいは、設定値を越える場合）に新規メンバー登録許可となる。
【００４２】
また、「登録可否判断基準」であるパラメータ「制限基準２」２０３として、得票率に代えて、登録許可票数より導くことができる得票数（登録可を支持したメンバーの数）を採用することも可能である。この場合、新規メンバー登録可否判断の際、投票セッションにおける投票許可票数より導かれる得票数が「制限基準２」２０３と比較され、得票数が制限基準２の設定値以上の場合（あるいは、設定値より大きい場合）に、新規メンバーの登録が許可される。
【００４３】
次に、新規登録希望者（図１の参照符号Ｐ１）が、通信管理装置４０に向けて発信メッセージを発出し、その結果として、投票セッションが開催されて、登録の可否が決定されるまので、システムの各部における主要な動作について、図５を参照して説明する。
【００４４】
図５は、本発明の実施形態に係るグループリスト管理方法を説明するシーケンス図である。
【００４５】
まず、新規登録希望者（あるいは、新規登録希望者を代理する既登録メンバー）Ｐ１は、携帯電話端末１０ａの操作部１５を用いてグループＧ１の新規登録希望する旨を入力し、グループ通信処理部１３は、グループＧ１に対する新規登録を要求するメッセージを、無線通信部１１を介してグループリスト管理サーバ４０に向けて発信する（ステップＳ５０１）。
【００４６】
グループリスト管理サーバ４０のグループ管理部４４は、グループＧ１に対する新規登録要求を通信部４２を介して受けると、記憶部５０に記憶されているグループＧ１のグループリスト５２を参照する。そして、グループＧ１のグループリスト５２において、「新規メンバー登録時制限種別」のパラメータ２０１が「投票形式」と設定されている場合、投票セッションを開催するために、グループＧ１のグループリスト５２に既に登録されている全グループメンバー（Ｐ２，Ｐ３等）に対して、投票セッション開催通知を通信部４２を介して送信する（ステップＳ５０２）。
【００４７】
既登録メンバー（Ｐ２，Ｐ３）の携帯電話端末（１０ｂ、１０ｃ）、無線通信部１１を介して投票セッション開催通知を受信すると、制御部１２のグループ通信処理部１３にて投票セッション開催通知の情報を表示部１６に出力し、利用者に報知する。そして、その投票セッションに参加可能なメンバーは、参加可能であることを操作部１５を用いて入力し、グループ通信処理部１３は、無線通信部１１を介してグループリスト管理サーバ４０へアクティブ返信を行う（ステップＳ５０３）。
【００４８】
次に、グループリスト管理サーバ４０は、グループＧ１のグループリスト５２のパラメータ２０２を参照し、投票セッションの有効性を判断する（ステップＳ５０４）。すなわち、グループ管理部４４は、投票参加メンバーからのアクティブ返信およびグループリスト５２上の既登録メンバーの数より導かれる投票率が、「投票セッションの有効性判断基準」であるパラメータ「制限基準１」２０２の設定値以上である場合、この投票セッションを有効とし投票開始を宣言する（ステップＳ５０７）。また、設定値未満であった場合には、投票の無効を通知し（ステップＳ５０５，Ｓ５０６）、投票セッションを終了する。
【００４９】
なお、投票セッション開催通知には、投票セッションの開催期間または投票セッションの終了期日を示す開催予告情報を含めることができる。同様に、投票セッション開催通知には、新規登録希望者Ｐ１から送られてくるメッセージに含まれる項目から抜粋した内容（登録希望者の紹介情報等）を含めてもよい。また、投票セッションの開催に関し、開催期間（日時、開催日数等）を設定してもよい。
【００５０】
投票セッションが有効である場合、既登録メンバー（Ｐ１，Ｐ２）は、携帯電話端末（１０ｂ，１０ｃ）の操作部１５を用いて新規メンバーの登録許可または拒否を入力し、グループ通信処理部１３はその投票結果をグループリスト管理サーバ４０へ送信する（ステップＳ５０８）。
【００５１】
グループリスト管理サーバ４０のグループ管理部４４は、投票が完了した後（ステップＳ５１０）、登録許可票数÷投票総数より導かれる得票率が、「登録可否判断基準」であるパラメータ「制限基準２」２０３の設定値以上である場合、新規メンバーの登録を許可し、設定値未満である場合には登録不可とする（ステップＳ５１０）。
【００５２】
なお、得票率を導く際に使用する投票総数には、無効票数は含まれないようにすることができる。
【００５３】
そして、登録可と判定された場合には、グループ管理部４４は、記憶部５０に記憶されているグループＧ１のグループリスト５２に新規メンバーを登録し、これにより、グループリストが更新される（ステップＳ５１１）。
【００５４】
次に、グループ管理部４４は、投票結果（新規登録の可否）を、新規登録希望者Ｐ１ならびに既登録メンバーＰ２，Ｐ３に通知する（ステップＳ５１２，Ｓ５１３）。
【００５５】
そして、新規登録希望者Ｐ１の新規登録が認められた場合、その新規登録メンバーＰ１を含めて、グループセッションが実施される（ステップＳ５１４）。
【００５６】
このような本発明の実施形態によれば、新規登録希望者Ｐ１からの登録要求があった場合、通信管理装置４０内に設けられたグループリスト管理サーバ４６は、既登録メンバー（Ｐ２，Ｐ３）による投票セッションを開催し、投票の結果（登録許可についての得票率や得票数）が所定の登録許可基準を上回った場合に、新規メンバーの登録を許可する。
【００５７】
したがって、グループ通信システムへの新規メンバーの登録の可否決定に関し、グループメンバーの各人が関与できるようになり、秘匿性が要求されるグループセッションにも、グループメンバーの意向に柔軟に対応できるようになる。
【００５８】
また、その投票セッションの有効性を判断した上で、投票セッションを開催することで、さらに、グループメンバーの意向を十分に反映させることができる。
【００５９】
なお、上記の説明では、グループ通信システムの一例として、携帯電話端末を利用したプッシュトゥトーク・ボイスオーバーアイピー通信システム（ＰＴＴ・ＶｏＩＰ通信システム）を利用したグループ通信について説明したが、本発明はこれに限られず、グループリスト管理装置と通信網を介して接続可能な通信端末装置を利用したグループ通信システムにも適用可能である。
【産業上の利用可能性】
【００６０】
本発明のグループリスト管理装置及びグループリスト管理方法、並びに通信端末装置は、グループのメンバーの意向を反映したグループ通信サービスの運営が可能な効果を有し、プッシュトゥトークシステムにおけるグループ通信等に有用である。
【図面の簡単な説明】
【００６１】
【図１】本発明の実施形態に係るグループ通信システムを説明する概念図
【図２】本発明の実施形態に係るグループリスト管理サーバの概略構成を示すブロック図
【図３】本発明の実施形態に係る携帯電話端末の概略構成を示すブロック図
【図４】本発明の実施形態に係るグループリストの一例を示す説明図
【図５】本発明の実施形態に係るグループリスト管理方法を説明するシーケンス図
【符号の説明】
【００６２】
１０，１０ａ，１０ｂ，１０ｃ  携帯電話端末
１１  無線通信部
１２  制御部
１３  グループ通信処理部
１４  ＰＰＴ処理部
１５  操作部
１６  表示部
２０，２０ａ，２０ｂ，２０ｃ  基地局装置
３０  ネットワーク
４０  グループリスト管理サーバ
４２  通信部
４４  グループ管理部
５０  記憶部
【図１】
2007019818.tif 000003
【図２】
2007019818.tif 000004
【図３】
2007019818.tif 000005
【図４】
2007019818.tif 000006
【図５】
2007019818.tif 000007